(57)【要約】【課題】光ファイバケーブルに防護のためにゴム製の割りチューブを被せる作業の作業性を向上させることにある。【解決手段】光ファイバケーブルに被せるゴム製の割りチューブの開かれた一端部を間に挟み込むとともに、裏返しに開かれたそのゴム製の割りチューブを周囲に巻きつけられるための二本の捧状部２，３と、前記二本の棒状部の同じ側の端部２ａ，３ａ同士を弾性的に結合するとともにそれら二本の棒状部を捻る手掛かりとなるための弾性結合部４とを具えてなる、割りチューブ巻取りピン１である。【選択図】図１
0003104654.tif 000002
【実用新案登録請求の範囲】
【請求項１】
光ファイバケーブルに被せるゴム製の割りチューブの開かれた一端部を間に挟み込むとともに、裏返しに開かれたそのゴム製の割りチューブを周囲に巻きつけられるための二本の捧状部（２，３）と、
前記二本の棒状部の同じ側の端部（２ａ，３ａ）同士を弾性的に結合するとともにそれら二本の棒状部を捻る手掛かりとなるための弾性結合部（４）と、
を具えてなる、割りチューブ巻取りピン。
【請求項２】
前記弾性結合部は、前記二本の棒状部（２，３）と一体に概略環状に形成された環状部（４）である、請求項１記載の割りチューブ巻取りピン。
【請求項３】
前記二本の棒状部（２，３）の、前記弾性結合部で結合される端部と対抗する端部（２ｂ，３ｂ）は、互いに不揃いに位置している、請求項１または２記載の割りチューブ巻取りピン。
【考案の詳細な説明】
【技術分野】
【０００１】
この考案は、光ファイバケーブルに防護のためにゴム製の割りチューブを被せるのに先立ってその割りチューブを開いて裏返しに巻き取るための割りチューブ巻取りピンに関するものである。
【背景技術】
【０００２】
光ファイバケーブル本線から分岐した光ファイバケーブルである光ドロップケーブルを建物等まで架設する際には、その光ドロップケーブルに防護のためにゴム製の割りチューブを被せている。
【考案の開示】
【考案が解決しようとする課題】
【０００３】
しかしながら、ゴム製の割りチューブを手で開いて光ドロップケーブルに被せる作業は、チューブの弾性で開けた切れ目が戻り易いため容易でなく、特に、Ｕ字状に垂れ下がるように架設するものである光ドロップケーブルに対する作業は難しくて、むりに作業すると光ドロップケーブルに力がかかり過ぎで光ケーブルコアが折れてしまい、架設作業からやり直すことになるため、極めて作業性が悪いという問題があった。
【課題を解決するための手段】
【０００４】
この考案は、上記課題を有利に解決することを目的とするものであり、この考案の割りチューブ巻取りピンは、光ファイバケーブルに被せるゴム製の割りチューブの開かれた一端部を間に挟み込むとともに、裏返しに開かれたそのゴム製の割りチューブを周囲に巻きつけられるための二本の捧状部と、前記二本の棒状部の同じ側の端部同士を弾性的に結合するとともにそれら二本の棒状部を捻る手掛かりとなるための弾性結合部と、を具えてなるものである。
【考案の効果】
【０００５】
光ファイバケーブルに被せるゴム製の割りチューブの一端部を開いて当該割りチューブ巻取りピンの二本の捧状部間に挟み込み、当該割りチューブ巻取りピンの弾性結合部に手を掛けて二本の棒状部を捻ってそれらの棒状部の周囲に割りチューブを開きながら裏返しに巻きつけ、全長に亘って開き終わったらその割りチューブから当該割りチューブ巻取りピンを抜き取ることで、ゴム製の割りチューブを開いて裏返しに巻いた状態にすることができる。
【０００６】
そして、この開いて裏返しに巻いた割りチューブを、光ファイバケーブルに添わせて展ばしながらゴムの弾性で元の筒状に戻してゆくと、光ファイバケーブルに、過度の曲げによる損傷を生じさせることなく容易に割りチューブを被せることができる。
【０００７】
従って、この考案の割りチューブ巻取りピンによれば、光ファイバケーブルに防護のためにゴム製の割りチューブを被せる作業の作業性を大きく向上させることができる。
【０００８】
なお、この考案の割りチューブ巻取りピンにおいては、前記弾性結合部は前記二本の棒状部と別体に形成してそれら棒状部に結合する弾性部材でもよいが、好ましくは前記弾性結合部は、前記二本の棒状部と一体に概略環状に形成された環状部とする。このようにすれば、弾性結合部を容易にかつ安価に構成することができる。
【０００９】
また、この考案の割りチューブ巻取りピンにおいては、前記二本の棒状部の、前記弾性結合部で結合される端部と対抗する端部は、互いに揃っていてもよいが、好ましくはそれらの端部は互いに不揃いに位置するものとする。このようにすれば、二本の棒状部の間にゴム製の割りチューブの開いた一端部を挟み込む際に、二本の棒状部のうちの短い方の棒状部を持って長い方の棒状部の端部を短い方の棒状部から離れるように押すことで、二本の棒状部の間の隙間を容易に拡げることができる。
【考案を実施するための最良の形態】
【００１０】
以下に、この考案の実施の形態を実施例によって、図面に基づき詳細に説明する。ここに、図１は、この考案の割りチューブ巻取りピンの一実施例による割りチューブの巻取り途中の状態を示す斜視図、図２（ａ），（ｂ），（ｃ）は、上記実施例の割りチューブ巻取りピンを示す正面図、右側面図および、（ａ）のＡ−Ａ線に沿う断面図、そして図３は、上記実施例の割りチューブ巻取りピンで開いて裏返しに巻いた割りチューブを光ファイバケーブルに被せる途中の状態を示す説明図である。
【００１１】
図中符号１で示す、この実施例の割りチューブ巻取りピンは、光ファイバケーブルに被せるゴム製の割りチューブ５の切れ目５ａから開かれた一端部を間に挟み込むとともに、裏返しに開かれたそのゴム製の割りチューブ５を周囲に巻きつけられるための二本の捧状部２，３と、それら二本の棒状部の同じ側の端部（図２では左端部）２ａ，３ａ同士を弾性的に結合するとともにそれら二本の棒状部２，３を捻る手掛かりとなるための，弾性結合部としての環状部４と、を具えてなり、ここにおける環状部４は、この実施例ではＳＵＳ３０４ステンレス鋼製の太さ３ｍｍの丸棒から二本の棒状部２，３と一体に、約直径２０ｍｍの概略環状に形成されている。
【００１２】
そしてこの実施例では、上記二本の棒状部２，３の、環状部４で結合される端部２ａ，３ａと対抗する端部２ｂ，３ｂが、図２（ａ）に示す如く互いに不揃いに位置するように、棒状部３が棒状部２より長く形成されている。
【００１３】
図１に示すように、光ファイバケーブルに被せるゴム製の割りチューブ５の一端部を切れ目５ａから開いてこの実施例の割りチューブ巻取りピン１の二本の捧状部２，３間に挟み込み、この実施例の割りチューブ巻取りピン１の環状部４に手を掛けて二本の棒状部２，３を捻ってそれらの棒状部２，３の周囲に割りチューブ５を開きながら裏返しに巻きつけ、全長に亘って開き終わったらその割りチューブ５からこの実施例の割りチューブ巻取りピン１を抜き取ることで、ゴム製の割りチューブ５をその全長に亘って延在する切れ目５ａから開いて裏返しに巻いた状態にすることができる。
【００１４】
そして図３に示すように、この開いて裏返しに巻いた割りチューブ５を、光ファイバケーブルとしての光ドロップケーブル６に添わせて、図中矢印Ｂで示す如く展ばしながらゴムの弾性で元の筒状に戻してゆくと、光ドロップケーブル６に、過度の曲げによる損傷を生じさせることなく容易に割りチューブ５を被せることができる。
【００１５】
従って、この実施例の割りチューブ巻取りピン１によれば、光ドロップケーブル６に防護のためにゴム製の割りチューブ５を被せる作業の作業性を大きく向上させることができる。
【００１６】
しかも、この実施例の割りチューブ巻取りピン１によれば、弾性結合部が、二本の棒状部２，３と一体に概略環状に形成した環状部４としていることから、弾性結合部を容易にかつ安価に構成することができる。
【００１７】
さらに、この実施例の割りチューブ巻取りピン１によれば、二本の棒状部２，３の、弾性結合部としての環状部４で結合される端部と対抗する端部２ｂ，３ｂが、互いに不揃いに位置していることから、二本の棒状部２，３の間にゴム製の割りチューブ５の開いた一端部を挟み込む際に、二本の棒状部２，３のうちの短い方の棒状部２を持って長い方の棒状部３の端部３ｂを短い方の棒状部２から離れるように押すことで、二本の棒状部２，３の間の隙間を容易に拡げることができる。
【００１８】
以上、図示例に基づき説明したが、この考案は上述の例に限定されるものでなく、実用新案登録請求の範囲の記載の範囲内で当業者であれば適宜変更し得るものである。
【産業上の利用可能性】
【００１９】
かくしてこの考案の割りチューブ巻取りピンによれば、光ファイバケーブルに防護のためにゴム製の割りチューブを被せる作業の作業性を大きく向上させることができる。
【図面の簡単な説明】
【００２０】
【図１】この考案の割りチューブ巻取りピンの一実施例による割りチューブの巻取り途中の状態を示す斜視図である。
【図２】（ａ），（ｂ），（ｃ）は、上記実施例の割りチューブ巻取りピンを示す正面図、右側面図および、（ａ）のＡ−Ａ線に沿う断面図である。
【図３】上記実施例の割りチューブ巻取りピンで開いて裏返しに巻いた割りチューブを光ファイバケーブルに被せる途中の状態を示す説明図である。
【符号の説明】
【００２１】
１  割りチューブ巻取りピン
２，３  棒状部
２ａ，２ｂ，３ａ，３ｂ  端部
４  環状部
５  割りチューブ
６  光ドロップケーブル
【図１】
0003104654.tif 000003
【図２】
0003104654.tif 000004
【図３】
0003104654.tif 000005